(57)【特許請求の範囲】
【請求項１】
ピット内に設置された管埋設機構により地盤を水平方向に掘削しつつ後方から管を押圧して地中に推進埋設する際に使用される目視式トランシットであって、該トランシットは前記ピット底部上に設置された基台を介して設置されるトランシット本体のポスト部に視軸を直角に曲げる光路変換光学部材の回転軸を支持し、該光路変換光学部材の上部に接眼用の小径部が上向きとなる望遠部材を直立させてその大径部を固着するとともに、前記ポスト部に前記回転軸の上下方向への回転角検出器および回転角調整機構を設けたことを特徴とする薄型目視式トランシット。
【請求項２】
ピット内に設置された管埋設機構により地盤を水平方向に掘削しつつ後方から管を押圧して地中に推進埋設する際に使用される目視式トランシットであって、該トランシットは、前記ピット底部上に設置された基台を介して設置されるトランシット本体のポスト部に視軸を直角に曲げる光路変換光学部材の回転軸を支持し、該光路変換光学部材の下部に接眼用の小径部が下向きとなる望遠部材を倒立させてその大径部を固着し、前記小径部に接眼位置の変更可能なアイピースを設けるとともに、前記ポスト部に前記回転軸の上下方向への回転角検出器および回転角調整機構を設けたことを特徴とする薄型目視式トランシット。
【発明の詳細な説明】
【０００１】
【発明の属する技術分野】
本発明は、管埋設機構により地盤を掘削して管（特に小口径管）を埋設する際の埋設方向の進路を監視する目視式トランシットに係り、特に従来の横長の監視機構を廃し、横方向の長さの短縮を図った薄型目視式トランシットに関する。
【０００２】
【従来の技術】
従来から地中に上・下水道管や電線管などを埋設する手段として、地表から竪方向に掘削したピット内に管埋設機構を設置し、この管埋設機構により地盤を掘削しながら後方から管を押圧することにより地中の水平方向に逐次埋設して行く工法が採用されている。このような管埋設機構による管の埋設工法においては、ピットの上方に管の埋設方向を示す基準線（水糸による埋設計画線）を張り、この基準線を基に計画通りに管の埋設が行われているか否かを測定するようにしている。
【０００３】
そして測定の際は、ピット内に目視式トランシットを設置し、上述した基準線からトランシットの正規位置と推進方向の確認をするようになされている。
【０００４】
【発明が解決しようとする課題】
しかしながら近年においては、住宅地付近のような狭隘な現場での施工を行う場合が増えてきているため、作業現場、特に管埋設機構を設置するピットを掘削するスペースが制限され、大径のピットを掘削することが困難になっている。
【０００５】
これに対して埋設管は規格化が定着し、長さも一定であり、またトランシットについても多少の小型化はなされているものの、望遠倍率の確保のため大幅な小型化はなされていない。
【０００６】
このような状況におかれているので小径のピットへの対応には管埋設機構の小型化が大きな比重を占めているが、既に管埋設機構は能力の限界まで小型化が進んでいる。
【０００７】
従来の目視式トランシットを小径のピット内に設置した場合の側面図およびその平面図を示すと図５、図６のようになっている。
【０００８】
すなわち図５、図６によれば、地表からある一定の深さの地下に掘削により開口されたピット１内に管埋設機構２およびトランシット３が設置されている。管埋設機構２は周知のもので、ピット１内の底部に設置されたガイドフレーム４，４の上部に駆動部５が推進シリンダ６，６により前後に移動可能に装着され、この駆動部５の前部には図示しないオーガスクリュが接続され、この後部には埋設管を配置して、オーガスクリュの先端のオーガヘッドにより図に示す矢印ａ方向に地盤を掘削しながら推進シリンダ６，６の伸長動作により管を地中に推進することにより埋設するようになっている。
【０００９】
この場合、小径のピット１から埋設管７を掘削方向に推進させる管埋設機構２には埋設管７を掘削方向に正確に推進させるためのトランシット３が後部に設置されているが、このトランシット３は設置されるピット１が狭いときは監視者自身も同時にこのピット１内に入って横方向に長い望遠部材３ａを覗いて前方を見ることができず、したがって監視に当たってはレーザ光を発光させて行う方法のみで目視にて施工精度を確認することができない。このため施工途中での異変に気づくのが遅れ、施工品質に影響を与えるという問題が生ずる。
【００１０】
さらに監視者本人の目で施工精度を確認できないところに不便や不安を感じ、推進作業を一時中断し、改めて目視トランシットを設置して確認作業を行なわねばならず、作業効率が悪くなるという問題も併せ持っている。
【００１１】
【課題を解決するための手段】
本発明は、狭隘な作業現場であって小径のピットしか掘削することができない場合であってもこのピット内に設置することができ、しかも目視式で監視可能とした薄型目視式トランシットを提供することを課題としてなされたもので、その解決手段としては、トランシットの望遠部材を従来の横向きから縦向きに設置し、新たに設けた光路変換光学部材を介して光路を変換することによりトランシットの横方向長さが短縮されると共に、これにより作業者がトランシットの上部方向または下部方向から埋設状態が監視できることになり、管埋設機構による管の埋設が正確に行えるようにしたことにある。
【００１２】
すなわち請求項１記載の発明は、ピット内に設置された管埋設機構により地盤を水平方向に掘削しつつ後方から管を押圧して地中に推進埋設する際に使用される目視式トランシットであって、該トランシットは、前記ピット底部上に設置された基台を介して設置されるトランシット本体の下方のポスト部に視軸を直角に曲げる光路変換光学部材の回転軸を支持し、該光路変換光学部材の上部に接眼用の小径部が上向きとなる望遠部材を直立させてその大径部を固着するとともに、前記ポスト部に前記回転軸の上下方向への回転角検出器および回転角調整機構を設けたことを特徴とする。
【００１３】
これにより監視者はピット底部に降りることなくピット内のある高さにある望遠部材を上方から覗くことができるので管の埋設状態を常に監視することができ、目視で施工精度を確認することができる。
【００１４】
また請求項２記載の発明は、ピット内に設置された管埋設機構により地盤を水平方向に掘削しつつ後方から管を押圧して地中に推進埋設する際に使用される目視式トランシットであって、該トランシットは、前記ピット底部上に設置された基台を介して設置されるトランシット本体の上方のポスト部に視軸を直角に曲げる光路変換光学部材の回転軸を支持し、該光路変換光学部材の下部に接眼用の小径部が下向きとなる望遠部材を倒立させてその大径部を固着し、前記小径部に接眼位置の変更可能なアイピースを設けるとともにに、前記ポスト部に前記回転軸の上下方向への回転角検出器および回転角調整機構を設けたことを特徴とする。
【００１５】
これにより監視者はピット底部に設置されている目視式トランシットの前部または左右の空間を利用してピット内に入り、アイピースにより接眼位置を適宜に変更して望遠部材を潜望鏡のように下方から覗くことにより管の埋設状態を監視することができ、目視で施工精度を確認することができる。
【００１６】
【発明の実施の形態】
以下、本発明を図面に示す実施の形態を参照して説明する。
【００１７】
図１は請求項１記載の発明にかかる薄型目視式トランシット３Ａの実施形態を示し、（Ａ）は図５に示されているトランシット３単体に相当する側面図、（Ｂ）は（Ａ）の背面図、（Ｃ）は（Ｂ）の平面図である。
【００１８】
図１（Ａ），（Ｂ）において図示しないピットの底面上に管埋設方向のトランシット本体１０Ａを安定的に設置し得るように基台８が設置され、基台８の上部にはトランシット本体１０Ａの設置高さを調整する調整ネジ９ａを装備した設置台９があって、設置台９の上面には前記トランシット本体１０Ａが設置されるように構成されている。前記トランシット本体１０Ａの最下部には該トランシット本体１０Ａを水平状態を維持するための調整ネジ１１を装備した上下の整準台１２が設けられ、その整準台１２の上部に水平回転および固定可能な水平回転部１３が設けられている。
【００１９】
水平回転部１３の上面には適宜間隔を保持して左右に立設したポスト部１４，１４があってこの間に回転軸１７を有するプリズム等の光路変換光学部材１５が挟み込まれ、この回転軸１７はポスト部１４，１４により上下方向（縦方向）に回転可能に支持されている。そのポスト部１４には回転軸１７の回転角を検出するための例えばエンコーダのような回転角検出器１８と回転角調整機構１９が内蔵されている。
【００２０】
また光路変換光学部材１５が挟み込まれたポスト部１４，１４の上部には直立した望遠部材１６の大径部１６ａが光路変換光学部材１５に固定されて挟み込まれ、これにより望遠部材１６の接眼用の小径部１６ｂは上を向くように設置される。
【００２１】
前記光路変換光学部材１５には視軸方向を直角方向に曲げるために反射光学部材（反射ミラーでもよい）２０が設けられている。
【００２２】
前記望遠部材１６には望遠調整が可能なレンズや調整機構を備えており、またレーザ光の照射を目的としたレーザ發光部を併せて備えることもできる。
【００２３】
以上のように上記の構造は望遠部材１６が上部の接眼位置から視線方向が下向き方向で、プリズム等の光路変換光学部材１５により直角方向前方（推進方向）へと視線方向の向きを変更することができるようになっているから、監視者は上部位置にあって望遠部材１６を覗くことにより図１（Ａ）の矢印方向ａが見え、これにより管の埋設方向が目視により監視することができる。
【００２４】
図２は請求項２記載の発明にかかる薄型目視式トランシット３Ｂの実施形態を示し、（Ａ）は図５に示されているトランシット３単体に相当する側面図、（Ｂ）は（Ａ）の背面図、（Ｃ）は（Ｂ）の平面図である。
【００２５】
ここで図２において図１と異なる点は、図１ではポスト部１４，１４間に挟み込まれている光路変換光学部材１５と望遠部材１６とが、図２においては逆さまの状態に設置されている点である。したがって図１に示されている部品と共通する部品には図１と同一符号を付して説明は省略する。
【００２６】
設置台９の上面にはトランシット本体１０Ｂが設置されるように構成されている。
【００２７】
トランシット本体１０Ｂの最下部には該トランシット本体１０Ｂを水平状態を維持するための調整ネジ１１を装備した整準台１２が設けられ、その整準台１２の上部に水平回転および固定可能な水平回転部１３が設けられている。
【００２８】
この水平回転部１３の上面には適宜間隔を保持して左右に立設されたポスト部２４，２４があってこの間の上部に回転軸１７を有するプリズム等の光路変換光学部材１５が挟み込まれ、この回転軸１７はポスト部２４，２４により上下方向（縦方向）に回転可能に支持されている。またポスト部２４には回転軸１７の回転角を検出するための例えばエンコーダのような回転角検出器１８と回転角調整機構１９が内蔵されている。
【００２９】
さらに光路変換光学部材１５が挟み込まれたポスト部２４，２４の下部には倒立した望遠部材１６の大径部１６ａが光路変換光学部材１５に固定されて挟み込まれ、これにより望遠部材１６の接眼用の小径部１６ｂは下を向くように設置される。そして光路変換光学部材１５には視軸方向を直角方向に曲げるために反射光学部材（反射ミラーでもよい）２０が設けられている。
【００３０】
前記望遠部材１６には望遠調整が可能なレンズや調整機構を備えており、またレーザ光の照射を目的としたレーザ發光部を併せて備えることもできる。
【００３１】
またこの構造では、望遠部材１６の接眼位置で監視を行う際に監視者の頭部がトランシット本体１０Ｂに干渉する不具合が生ずるのでアイピース２１等で接眼位置を回転することにより変更できるようになっている。
【００３２】
したがってアイピース２１を通して望遠部材１６の小径部１６ｂを覗くと見える像は光路変換光学部材１５により直角に屈折して図２（Ａ）の上側の矢印方向ａのものとなる。
【００３３】
図２に示す薄型目視式トランシット３Ｂを従来のトランシット３に代えて図５のピット１内に適用した場合には図３（側面図）のようになる。ここで図３に示されている従来の機構その他の部品は図５に示したものと同一であるから図５の符号と同一符号を用いて説明は省略する。
【００３４】
この場合、図６に示されているトランシット３と同様に薄型目視式トランシット３Ｂの前部（監視のための測量時、駆動部５は前方へ移動するので監視者の侵入スペースは確保される）または左右には監視者がピット１内に侵入できるスペースがあるので、監視者がピット１内で潜望鏡を覗くようにアイピース２１を適宜回転させてアイピース２１を通して望遠部材１６の小径部１６ｂを覗くとその像は光路変換光学部材１５により直角に屈折するので管埋設方向を目視により監視することができる。
【００３５】
また図１に示す薄型目視式トランシット３Ａを従来のトランシット３に代えて図６のピット１内に適用した場合には図４（平面図）のようになる。ここで図４に示されている従来の機構その他部品は図６に示したものと同一であるから図６に示されている符号と同一符号を用いて説明は省略する。
【００３６】
この場合、監視者はピット１内の上方から望遠部材１６の小径部１６ｂを覗くことにより光路変換光学部材１５により直角に屈折するので管埋設方向を目視により監視することができる。
【００３７】
【発明の効果】
本発明は以上説明したように構成されているのでつぎのような効果を奏することができる。
【００３８】
１）望遠部材を従来の横長に代えて縦長に配置するようにしたので、ピットの小型化への対応が可能となる。
【００３９】
２）望遠部材の回転を光路変換光学部材の中心で回転するようにしたので監視（測量）角度を振っても測量高さ方向に変化を生ぜず、監視が正確に行える。
【００４０】
３）請求項１によれば、監視者はピット底部に降りることなくピット内のある高さにある望遠部材を上方から覗くことにより、直角に屈折した光路変換光学部材によりその前方の拡大された像を見ることができるので管の埋設状態が監視でき、目視で施工精度を確認することができる。
【００４１】
４）請求項２によれば、監視者はピット底部に設置されている薄型目視式トランシットの左右の空間または前部の空間を利用してピット内に入り、アイピースにより接眼位置を適宜に変更して望遠部材を潜望鏡のように下方から覗くことにより、直角に屈折した光路変換光学部材によりその前方の拡大された像を見ることができるので管の埋設状態を監視でき、目視で施工精度を確認することができる。
【図面の簡単な説明】
【図１】本発明の請求項１にかかる薄型目視式トランシットの一実施形態を示し、（Ａ）は側面図、（Ｂ）は背面図、（Ｃ）は平面図。
【図２】本発明の請求項２にかかる薄型目視式トランシットの一実施形態を示し、（Ａ）は側面図、（Ｂ）は背面図、（Ｃ）は平面図。
【図３】図２の薄型目視式トランシットをピット内に従来の管埋設機構の後部に設置した状態を示す側面図。
【図４】図１の薄型目視式トランシットをピット内に従来の管埋設機構の後部に設置した状態を示す平面図。
【図５】ピット内に従来の管埋設機構およびトランシットを設置した状態を示す側面図。
【図６】図５の平面図。
【符号の説明】
１  ピット
２  管埋設機構
３Ａ，３Ｂ  薄型目視式トランシット
８  基台
１０Ａ，１０Ｂ  トランシット本体
１４  ポスト部
１５  光路変換光学部材
１６  望遠部材
１６ａ  大径部
１６ｂ  小径部
１７  回転軸
１８  回転角検出器
１９  回転角調整機構
２１  アイピース
２４  ポスト部
【図１】
0004226177.tif 000002
【図２】
0004226177.tif 000003
【図３】
0004226177.tif 000004
【図４】
0004226177.tif 000005
【図５】
0004226177.tif 000006
【図６】
0004226177.tif 000007